(57)【要約】【課題】  サムターン回しを防止するサムターン装置の提供。【解決手段】  サムターン軸１２に対して軸方向に進退可能で、この軸１２から離間方向に付勢されたセット操作材５０と、この操作材５０が進退可能に差し込まれ、操作材５０と一体回転するよう係合可能で、操作材５０をその付勢力に対抗して押込むことにより、操作材５０との係合が解除されるツマミ６０と、ツマミ６０を軸方向移動不能で回転可能に保持するサムターン胴２０と、サムターン胴２０に回転可能に保持され、サムターン胴２０と係合可能な操作輪３０と、ツマミ６０に対し操作材５０を押し込んでサムターン胴２０に対し操作輪３０を相対回転させて、サムターン胴２０と操作輪３０との係合状態を解除すると共に、ツマミ６０と操作材５０との係合を解除し、その解除状態を維持することで操作材５０に対しツマミ６０を空転させる手段とを備える。【選択図】      図３
2005061122.tif 000002
【特許請求の範囲】
【請求項１】
ハブを介してデッドボルトを進退操作するサムターン軸と、
サムターン軸に対して軸方向に進退可能で周方向相対回転が規制され、サムターン軸から離間する方向に付勢されたセット操作材と、
セット操作材が進退可能に差し込まれ、セット操作材と一体回転するよう係合可能で、セット操作材をその付勢力に対抗して押し込むことにより、セット操作材との係合が解除されるツマミと、
ツマミを軸方向移動不能で回転可能に保持するサムターン胴と、
サムターン胴の外周部に回転可能に保持され、サムターン胴と係合可能な操作輪と、
ツマミに対しセット操作材を押し込んでサムターン胴に対し操作輪を相対回転させて、サムターン胴と操作輪との係合状態を解除すると共に、ツマミとセット操作材との係合状態を解除し、その解除状態を維持することでセット操作材に対しツマミを空転させる手段と
を備えることを特徴とするサムターン装置。
【請求項２】
ハブを介してデッドボルトを進退操作するサムターン軸と、
サムターン軸に対して軸方向に進退可能で周方向相対回転が規制され、サムターン軸から離間する方向に付勢されたセット操作材と、
セット操作材が進退可能に差し込まれ、セット操作材と一体回転するよう係合可能で、セット操作材をその付勢力に対抗して押し込むことにより、セット操作材との係合が解除されるツマミと、
ツマミを軸方向移動不能で回転可能に保持すると共に、半径方向に貫通してピン挿通穴が形成されたサムターン胴と、
サムターン胴の外周部に回転可能に保持されると共に、内周部に凹部が形成された操作輪と、
サムターン胴のピン挿通穴に径方向外側に付勢されて設けられ、ツマミに対しセット操作材を押し込んでサムターン胴に対し操作輪を相対回転させて、サムターン胴のピン挿通穴と操作輪の凹部との対応をずらすことにより、サムターン胴の半径方向内側へ押し込まれて、基端部がセット操作材と係合されることで、径方向外側への突出が規制されると共に、ツマミとセット操作材との係合解除状態を維持するセットピンと
を備えることを特徴とするサムターン装置。
【請求項３】
サムターン軸は、基端部にフランジが形成されており、このフランジには、直径方向両端部に切欠きが形成されており、サムターン胴に軸方向移動不能で回転可能に設けられ、
セット操作材は、棒状部と、この棒状部の先端部に形成されたフランジと、このフランジの直径方向両端部から先端側へ突出して形成され、サムターン軸の前記切欠きへ差し込まれる一対の脚部と、ツマミ及びセットピンと係合可能に、前記フランジの基端部に形成された第１係合部及び第２係合部とを備え、サムターン胴に軸方向移動可能で回転可能に保持され、且つサムターン軸の基端部にバネを介して基端側へ付勢されて設けられ、
ツマミは、その基端面からセット操作材の棒状部の基端部が突出して、セット操作材の棒状部にはめ込まれた状態で、サムターン胴に軸方向移動不能で回転可能に保持されて設けられており、先端部に前記第１係合部への被係合部が形成されており、
セットピンは、先端部が略半球状に形成されると共に、基端部に前記第２係合部への被係合部が形成されており、
操作輪に形成された凹部は、操作輪の内周面の周方向一部に形成されている
ことを特徴とする請求項２に記載のサムターン装置。
【請求項４】
請求項１から請求項３までのいずれかに記載のサムターン装置が備えられた扉錠又は扉。
【発明の詳細な説明】
【技術分野】
【０００１】
本発明は、不正な解錠を防止できるサムターン装置に関するものである。
【背景技術】
【０００２】
従来、一戸建てやマンション等の玄関扉の不正解錠行為の一つとして、いわゆるサムターン回しが知られている。これは、扉と扉枠との隙間（いわゆるチリ）や、扉にあけた穴に針金や紐等を挿入し、この不正解錠手段で室内側に取り付けてあるサムターン装置のツマミを解錠方向に回転させ、デッドボルトを後退して不正解錠するものである。また、扉に穴をあけて、その穴から手を室内に入れてツマミを回転させる行為も近年増加してきている。
【発明の開示】
【発明が解決しようとする課題】
【０００３】
しかしながら、上記のような不正解錠行為に対して、本願出願人が知るところでは、適切に対応した技術は存在しない。本発明は、上記事情に鑑みてなされたものであり、いわゆるサムターン回しを有効に防止するサムターン装置を提供することにある。
【課題を解決するための手段】
【０００４】
上記目的を達成するために、本発明のサムターン装置は、ハブを介してデッドボルトを進退操作するサムターン軸と、サムターン軸に対して軸方向に進退可能で周方向相対回転が規制され、サムターン軸から離間する方向に付勢されたセット操作材と、セット操作材が進退可能に差し込まれ、セット操作材と一体回転するよう係合可能で、セット操作材をその付勢力に対抗して押し込むことにより、セット操作材との係合が解除されるツマミと、ツマミを軸方向移動不能で回転可能に保持するサムターン胴と、サムターン胴の外周部に回転可能に保持され、サムターン胴と係合可能な操作輪と、ツマミに対しセット操作材を押し込んでサムターン胴に対し操作輪を相対回転させて、サムターン胴と操作輪との係合状態を解除すると共に、ツマミとセット操作材との係合状態を解除し、その解除状態を維持することでセット操作材に対しツマミを空転させる手段とを備えることを特徴とする。
【０００５】
また、上記目的を達成するために、本発明のサムターン装置は、ハブを介してデッドボルトを進退操作するサムターン軸と、サムターン軸に対して軸方向に進退可能で周方向相対回転が規制され、サムターン軸から離間する方向に付勢されたセット操作材と、セット操作材が進退可能に差し込まれ、セット操作材と一体回転するよう係合可能で、セット操作材をその付勢力に対抗して押し込むことにより、セット操作材との係合が解除されるツマミと、ツマミを軸方向移動不能で回転可能に保持すると共に、半径方向に貫通してピン挿通穴が形成されたサムターン胴と、サムターン胴の外周部に回転可能に保持されると共に、内周部に凹部が形成された操作輪と、サムターン胴のピン挿通穴に径方向外側に付勢されて設けられ、ツマミに対しセット操作材を押し込んでサムターン胴に対し操作輪を相対回転させて、サムターン胴のピン挿通穴と操作輪の凹部との対応をずらすことにより、サムターン胴の半径方向内側へ押し込まれて、基端部がセット操作材と係合されることで、径方向外側への突出が規制されると共に、ツマミとセット操作材との係合解除状態を維持するセットピンとを備えることを特徴とする。
【０００６】
また、好ましくは上記構成に加えて、サムターン軸は、基端部にフランジが形成されており、このフランジには、直径方向両端部に切欠きが形成されており、サムターン胴に軸方向移動不能で回転可能に設けられ、セット操作材は、棒状部と、この棒状部の先端部に形成されたフランジと、このフランジの直径方向両端部から先端側へ突出して形成され、サムターン軸の前記切欠きへ差し込まれる一対の脚部と、ツマミ及びセットピンと係合可能に、前記フランジの基端部に形成された第１係合部及び第２係合部とを備え、サムターン胴に軸方向移動可能で回転可能に保持され、且つサムターン軸の基端部にバネを介して基端側へ付勢されて設けられ、ツマミは、その基端面からセット操作材の棒状部の基端部が突出して、セット操作材の棒状部にはめ込まれた状態で、サムターン胴に軸方向移動不能で回転可能に保持されて設けられており、先端部に前記第１係合部への被係合部が形成されており、セットピンは、先端部が略半球状に形成されると共に、基端部に前記第２係合部への被係合部が形成されており、操作輪に形成された凹部は、操作輪の内周面の周方向一部に形成されていることを特徴とするサムターン装置である。
【０００７】
また、好ましくは上記構成に加えて、サムターン胴のピン挿通穴と操作輪の凹部、及びセット操作材の第１係合部とツマミの被係合部がそれぞれ対応するよう操作輪とツマミを回転させる際の目印が操作輪とセット操作材に付けられていることを特徴とするサムターン装置である。
【０００８】
また、好ましくは上記構成に加えて、前記ツマミの操作部は、球状、又は円形状若しくは正多角形状の縦断面に形成されていることを特徴とするサムターン装置である。
さらに、本願発明は、上記各構成のいずれかのサムターン装置が備えられた扉錠又は扉である。
【発明の効果】
【０００９】
本発明のサムターン装置によれば、針金や紐等によって不正解錠しようとしても、或いは、扉にあけた穴から手を入れて不正解錠しようとしても、サムターン装置のツマミは空回りするだけで、サムターン軸を解錠方向に回転させることができない。よって、いわゆるサムターン回しを有効に防止することができる。
【発明を実施するための最良の形態】
【００１０】
以下、本発明のサムターン装置について、実施例に基づき更に詳細に説明する。
【００１１】
図１は、本発明のサムターン装置を備えた扉錠の縦断面図である。
また、図２は、図１の扉錠を示す図であり、（ａ）は室内側から見た正面図、（ｂ）は戸先側から見た側面図、（ｃ）は底面図である。
【００１２】
扉錠１は、従来公知の構造に、本発明のサムターン装置が取り付けられて構成され、箱状の錠ケース２を備えている。錠ケース２は、扉１００の戸先側端部の上下方向中央部に取り付けられる。図１に示すように、錠ケース２の戸先側端面に設けられたフロント裏板７が錠ケース取付ネジ９ａにより扉１００の戸先側端部に固定される。また、フロント裏板７にフロント板８が重ね合わされてフロント取付ネジ９ｂにより固定される。
【００１３】
錠ケース２には、扉１００を施解錠するデッドボルト３が設けられている。デッドボルト３は、錠ケース２の戸先側端面から出没可能とされており、そのデッドボルト３を出没させるためのハブ４やクリックモーション用バネ５等の出没操作機構が錠ケース２に内蔵されている。なお、ハブ４は、錠ケース２に固定のハブ取付部材６に回転可能に保持されている。
【００１４】
また、図２に示すように、デッドボルト３の出没、つまり前進又は後退は、錠ケース２に連結するように取り付けられた室内側のサムターン装置１０のツマミ６０の操作、又は室外側のシリンダー錠８０の鍵の操作により行なわれる。
【００１５】
図１に示すように、錠ケース２の壁２ａには、扉１００の幅方向に沿って細長い案内穴２ｂが穿設されており、この案内穴２ｂにデッドボルト３の後部に固定したピン３ａが、案内穴２ｂに沿って摺動可能に嵌挿されている。また、デッドボルト３の後方上部に形成された凹溝状の被係合部３ｂに、回転動作するハブ４の凸状係合部４ａを係合するか否かにより、デッドボルト３が前進又は後退位置で保持される。
【００１６】
図３は、本実施例のサムターン装置１０が取り付けられた解錠状態の扉錠を示す図であり、（ａ）は横断面図であり、（ｂ）は縦断面図であり、（ｃ）は（ａ）をＡ―Ａ方向から見た図であり、（ｄ）は（ｂ）をＢ―Ｂ方向から見た概略断面図である。
【００１７】
図３に示すように、サムターン装置１０は、前記ハブ４に先端部が接続されるサムターン軸１２と、このサムターン軸１２を回転自在に軸受するサムターン胴２０と、サムターン軸１２をセット操作材５０を介して回転させるツマミ６０と、サムターン胴２０に回転可能に保持される操作輪３０と、サムターン胴２０と操作輪３０との間に設けられるセットピン３５とを主要部として備える。
【００１８】
図４は、サムターン軸１２を示す部品図であり、（ａ）は正面図、（ｂ）は左側面図、（ｃ）は右側面図、（ｄ）は底面図である。
サムターン軸１２は、段付円柱状であり、先端側小径部１３は、断面十字状に形成されている。基端側大径部１４の基端部には径方向外側に拡径してフランジ１５が形成されている。
【００１９】
また、基端側大径部１４には、基端側に開口して円形のバネ収容穴１４ａが軸方向に沿って形成されている。さらに、フランジ１５及び大径部１４の径方向両端部には、切欠き１６，１６が軸方向に形成されている。この切欠き１６は、サムターン軸１２の径方向外側に行くに従って周方向に拡幅する略台形状に形成されている。
【００２０】
サムターン軸１２の先端側小径部１３は、ハブ４の十字状のハブ穴４ｂに回転方向に対して遊びがない状態で係合される（図１）。従って、サムターン軸１２にセット操作材５０を介して設けられるツマミ６０を回すと、サムターン軸１２の先端部１３がハブ４を介してデッドボルト３を進退させることができる。
【００２１】
図５は、サムターン胴２０を示す部品図であり、（ａ）は横断面、（ｂ）は縦断面図、（ｃ）は（ａ）の左側面図、（ｄ）は（ａ）の右側面図である。
サムターン軸１２を回転可能に保持するサムターン胴２０は、短円柱形状であり、同図（ａ）において左側となる基端部には、径方向外側に拡径してフランジ２１が形成されている。
【００２２】
サムターン胴２０の中央には、軸方向に貫通穴２２が形成されている。同図（ｂ）に示すように、この貫通穴２２の両端部は、それぞれ径方向外側に拡径しており、基端側大径穴２２ａと先端側大径穴２２ｂが形成されている。また、サムターン胴２０には、その外周部から前記貫通穴２２に向けて、その貫通穴２２に直交する方向に貫通してピン挿通穴２３が形成されている。このピン挿通穴２３は、円形の段付穴とされ、サムターン胴２０の径方向内側が小径穴２３ａ、径方向外側が大径穴２３ｂとされている。サムターン胴２０は、このピン挿通穴２３を垂直下方に向けて扉１００に取り付けられる。
【００２３】
サムターン胴２０の基端面の径方向両端部には、後述するキャップ７０を取り付けるためのネジ穴２４，２５が軸方向に沿って形成されている。本実施例では、図３（ｂ）に示される通り、扉１００への取付時に室内側から見て上下両端部にこのネジ穴２４，２５が形成されている。このネジ穴の内、上端部のネジ穴２４は軸方向に貫通しており、下端部のネジ穴２５は、基端面から先端側中途までとされ、ネジ７５，７５が螺入されてキャップ７０が取り付けられる。
【００２４】
また、前記各ネジ穴２４，２５を結ぶ線と直交する径方向両端部、つまり本実施例では左右両端部に取付柱固定用のネジ挿通穴２６，２６が軸方向に貫通して形成されており、このネジ挿通穴２６，２６には、ネジ７６，７６が螺入される。なお、このネジ挿通穴２６及び前記ネジ穴２４，２５の基端部は、皿穴状とされている。
【００２５】
一方、サムターン胴２０の先端面には、後述する蓋４０を取り付けるために、基端側から貫通した前記ネジ穴２４を含めて３箇所に蓋固定用のネジ穴２４，２７，２７が軸方向に沿って形成されている。本実施例では、残り２つのネジ穴２７，２７は、取付柱固定用ネジ挿通穴２６とピン挿通穴２３との間にそれぞれ配置されている。
【００２６】
サムターン胴２０の外周部には、操作輪３０が回転可能に設けられる。
図３に示すように、操作輪３０は、円筒形状であり、その中央貫通穴３１の直径は、サムターン胴２０の外径に対応している。操作輪３０の中央貫通穴３１は、基端部において拡径しており、この拡径部３１ａの直径は、サムターン胴２０のフランジ２１より若干大径とされる。また、操作輪３０の中央貫通穴３１には、操作輪３０の先端部においても、浅い拡径部３１ｂが形成されており、この拡径部３１ｂの直径は、後述する蓋４０の外径に対応している。
【００２７】
操作輪３０の内周面の一部には、凹部３２が形成されている。本実施例では、操作輪３０の内周面の周方向一部において、軸方向に沿って溝状の凹部３２（凹溝）が一箇所形成されている。この凹溝３２は、断面略Ｖ字状又は略半円形状とされ、操作輪３０の軸方向中央から先端面に向かって連続的に形成されている。
【００２８】
操作輪３０がサムターン胴２０にはめ込まれて取り付けられる際には、サムターン胴２０のピン挿通穴２３にセットピン３５が配置される。このセットピン３５は、細長い段付円柱状であり、比較的長いサムターン胴２０の貫通穴２２側に配置される小径部３６と比較的短いサムターン胴２０の外周側に配置される大径部３７とからなる。この小径部３６および大径部３７は、それぞれピン挿通穴２３の小径穴２３ａおよび大径穴２３ｂに対応している。小径部３６の先端側には、凹溝３６ａが周方向に形成されており、この凹溝３６ａは、後述するセット操作材５０の第２係合部５５への被係合部とされる。また、サムターン胴２０の外周側に配置される大径部３７の先端部３７ａは、半球状に形成されている。
【００２９】
セットピン３５は、その小径部３６にコイルバネ３８が通された状態で、小径部３６をピン挿通穴２３の小径穴２３ａ側に向けてピン挿通穴２３に差し込まれる。この際、コイルバネ３８の一端は、ピン挿通穴２３の段付部２３ｃに配置され、他端は、セットピン３５の段付部３５ａに配置される。これにより、セットピン３５は、サムターン胴２０の径方向外側に向かって付勢される。つまり、セットピン３５の先端部３７ａは、サムターン胴２０のピン挿通穴２３から突出するよう付勢された状態となり、ピン挿通穴２３と操作輪３０の凹溝３２とが対応した状態では、その先端部３７ａは、操作輪３０の凹溝３２に差し込まれる。
【００３０】
サムターン胴２０にセットピン３５及び操作輪３０が設けられた状態で、サムターン胴２０の先端側大径穴２２ｂにサムターン軸１２のフランジ１５が配置されて、サムターン胴２０の先端面に蓋４０が被せられる。
図６は、蓋４０を示す部品図であり、（ａ）は横断面図、（ｂ）は縦断面図、（ｃ）は（ａ）の右側面図である。
【００３１】
蓋４０は、円板形状であり、その中央には軸方向に沿って貫通穴４０ａが形成されている。この貫通穴４０ａの周縁は、先端側に円筒状に突出しており、その内径は、サムターン軸１２の大径部１４に対応している。また、蓋４０の外径は、操作輪３０の先端面に形成された拡径部３１ｂに収容される大きさとされる。
【００３２】
蓋４０には、サムターン胴２０に形成された取付柱固定用のネジ挿通穴２６，２６に対応した位置に貫通穴４１，４１が２箇所形成されている。また、サムターン胴２０に形成された蓋固定用のネジ穴２４，２７，２７に対応した位置にも貫通して皿穴４２が３箇所形成されている。
【００３３】
図３に示すように、蓋４０は、その中央の貫通穴４０ａにサムターン軸１２が通された状態で、サムターン胴２０の先端面に被せられ、皿穴４２にネジ４３がねじ込まれてサムターン胴２０に固定される。
これにより、サムターン軸１２は、そのフランジ１５がサムターン胴２０と蓋４０とに挟まれて位置決めされる。つまり、軸方向の移動が規制される一方、サムターン胴２０に対して回転可能に保持される。また、操作輪３０も、その先端面に蓋４０の外周部が重ね合わされることで、サムターン胴２０のフランジ２１と蓋４０とにより位置決めされ、サムターン胴２０に回転可能に保持される。
【００３４】
サムターン胴２０に回転可能に保持されるサムターン軸１２の基端部には、セット操作材５０が取り付けられる。
図７は、セット操作材５０を示す部品図であり、（ａ）は正面図、（ｂ）は左側面図、（ｃ）は右側面図、（ｄ）は底面図、（ｅ）は（ｄ）の一部拡大断面図である。
【００３５】
セット操作材５０は、細長い丸棒状の棒状部５１と、この棒状部５１の先端部に形成されたフランジ５２と、フランジ５２の径方向両端部から先端側に柱状に突出して設けられる一対の脚部５３，５３とを備える。フランジ５２の外径は、サムターン胴２０の中央貫通穴２２に対応している。また、脚部５３は、フランジ５２の径方向外側に行くに従って拡幅する断面略台形の柱状とされ、サムターン軸１２のフランジ１５に形成された切欠き１６に対応している。
【００３６】
フランジ５２の基端面中央には、第１係合部５４が形成されている。この第１係合部５４は、棒状部５１の直径方向両端部に突出して一体形成されている。図示例では、円板の左右両端部が切り欠かれた形状とされている。また、フランジ５２の基端面外周部には、基端側に突出して断面略三角形状の第２係合部５５が周方向に沿って形成されている。さらに、フランジ５２の先端面中央には、先端側に突出して短円柱状のバネ取付部５６が形成されている。
【００３７】
セット操作材５０は、サムターン胴２０の中央の貫通穴２２に差し込まれ、その一対の脚部５３，５３はサムターン軸１２のフランジ１５に形成された切欠き１６，１６にそれぞれ差し込まれる。この際、サムターン軸１２の大径部１４に形成されたバネ収容穴１４ａには、コイルバネ１７が収容されており、コイルバネ１７の基端部はセット操作材５０のバネ取付部５６に差し込まれる。また、コイルバネ１７の先端部がバネ収容穴１４ａの底に配置されることで、セット操作材５０は、基端側（室内側）に付勢された状態でサムターン胴２０の貫通穴２２内に配置される。
【００３８】
セット操作材５０の基端側棒状部５１には、サムターン操作用のツマミ６０が設けられる。
図８は、ツマミ６０を示す部品図であり、（ａ）は正面図、（ｂ）は左側面図、（ｃ）は右側面図、（ｄ）は底面図である。
【００３９】
ツマミ６０は、略矩形板状のツマミ本体６１を備え、ツマミ本体６１の先端面にはツバ部６２が形成されている。このツバ部６２の先端面中央には、先端側に突出して円柱状の取付部６３が形成されている。この取付部６３の先端面には、径方向に沿って凹溝６４が形成されている。この凹溝６４は、セット操作材５０の第１係合部５４への被係合部とされる。また、この被係合部６４より基端側には、周方向に凹溝６３ａが形成されている。ツマミ６０の中央には、軸方向に前記セット操作材５０の棒状部５１挿通用の貫通穴６５が形成されている。つまり、ツマミ本体６１の基端面中央から凹溝状の被係合部６４の中央までセット操作材５０の棒状部５１挿通用の貫通穴６５が形成されている。
【００４０】
このツマミ６０は、キャップ７０を介してサムターン胴２０に回転可能に取り付けられる。
図９は、キャップ７０を示す部品であり、（ａ）は横断面、（ｂ）は縦断面図、（ｃ）は（ａ）の左側面図である。
【００４１】
キャップ７０は、円板形状であり、その外周端部は、先端側に円筒状に突出している。この円筒状突出部７１の内径は、サムターン胴２０のフランジ２１に対応している。また、キャップ７０の中央には、軸方向に貫通して穴７０ａが形成されており、この穴７０ａの周縁も先端側に円筒状に突出して円筒状部７２が形成されている。さらに、キャップ７０には、サムターン胴２０の基端面に形成されたネジ挿通穴２６，２６及びネジ穴２４，２５と対応する位置にそれぞれ皿穴７３，７３，７４，７４が４箇所形成されている。
【００４２】
キャップ７０の中央の円筒状部７２にツマミ６０の取付部６３が差し込まれた状態で先端側から取付部６３にリング６６が通され、さらに取付部６３の凹溝６３ａにＥリング６７がはめ込まれる。これにより、ツマミ６０は、そのツバ部６２とリング６６とによりキャップ７０中央の円筒状部７２を挟みこんで位置決めされ、キャップ７０に対し軸方向移動不能で回転可能に保持される。
【００４３】
ツマミ６０が取り付けられたキャップ７０は、ツマミ６０の丸穴６５にセット操作材５０の棒状部５１が差し込まれて、サムターン胴２０の基端面（フランジ２１の基端面）に被せられ、サムターン胴２０にネジ止め（７５，７５）される。この際、ツマミ６０の取付部６３に形成された被係合部６４に、コイルバネ１７によりツマミ６０側に付勢されたセット操作材５０の第１係合部５４が係合される。この係合状態では、セット操作材５０の棒状部５１の基端部は、ツマミ本体６１から突出する。なお、リング６６及びＥリング６７は、サムターン胴２０の基端側大径穴２２ａに配置される。
【００４４】
このように構成されたサムターン装置１０は、室外側に取り付けられるシリンダー錠８０から延出する２本の円筒状の取付柱１０２，１０２に、キャップ７０から取付ネジ７６，７６がねじ込まれることで扉１００に取り付けられる。
【００４５】
ところで、サムターン胴２０のピン挿通穴２３と操作輪３０の凹溝３２、及びセット操作材５０の第１係合部５４とツマミ６０の被係合部６４がそれぞれ対応するよう操作輪３０とツマミ６０を回転させる際の目印３３，５７が操作輪３０とセット操作材５０に付けられている。
例えば、操作輪３０の印３３は、その凹溝３２と直径方向に対向した先端面に付けられている。また、セット操作材５０の棒状部５１の基端面にも、ツマミ６０との係合位置を示す印５７が付けられている。本実施例では、ツマミ６０とセット操作材５０とが係合している状態において、ツマミ６０の基端面の長手方向に沿う方向に、線状の印５７が棒状部５１の基端面に付けられている。
【００４６】
このような構成の本実施例のサムターン装置の施錠および解錠方法について説明する。
図１０は、本実施例のサムターン装置が取り付けられた施錠状態の扉錠を示す図であり、（ａ）は横断面図であり、（ｂ）は縦断面図であり、（ｃ）は（ａ）をＣ―Ｃ方向から見た図であり、（ｄ）は（ｂ）をＤ―Ｄ方向から見た概略断面図である。
【００４７】
図３に示す解錠状態では、ツマミ６０の被係合部６４にセット操作材５０の第１係合部５４が係合している。従って、ツマミ６０を施錠方向に回転させることでセット操作材５０も一体回転する。また、セット操作材５０の脚部５３が、サムターン軸１２の切欠き１６に差し込まれていることで、セット操作材５０の回転に伴いサムターン軸１２も回転する。これにより、サムターン軸１２の先端部１３が差し込まれたハブ４が回転し、デッドボルト３が突出して、図１，２，１０に示すような施錠状態となる。また、施錠状態から解錠する場合も、ツマミ６０を解錠方向に回転させることで、施錠する場合と同様にサムターン軸１２が回転し、解錠することができる。つまり、本実施例のサムターン装置１０による施錠および解錠方法は、従来どおりである。
【００４８】
次に、本実施例のサムターン装置の不正解錠防止機能のセット方法について説明する。
図１１は、不正解錠防止機能をセットした状態を示す図であり、（ａ）は横断面図、（ｂ）は縦断面図、（ｃ）は（ａ）をＥ―Ｅ方向から見た図、（ｄ）は（ｂ）をＦ―Ｆ方向から見た概略断面図である。
【００４９】
即ち、外出時などに、不正解錠防止機能をセットするには、始めに、図３の解錠状態において、ツマミ６０の基端面から突出しているセット操作材５０の棒状部５１をコイルバネ１７の付勢力に対抗して先端側（室外側）に押す。これにより、セット操作材５０は、サムターン胴２０の穴２２に沿って先端側に移動し、セット操作材５０の第１係合部５４とツマミ６０の被係合部６４との係合は解除される。なお、セット操作材５０は、その脚部５３がサムターン軸１２の切欠き１６に通されていることで周方向に回転することなく先端側に移動する。
【００５０】
次に、セット操作材５０を押した状態で、操作輪３０をサムターン胴２０に対して相対回転させる。操作輪３０が回転することで、セットピン３５の先端部３７ａは、操作輪３０の凹溝３２から内周面に乗り上げ、コイルバネ３８の付勢力に対抗してサムターン胴２０の径方向内側に押し込められる。これにより、セットピン３５の小径部３６は、ピン挿通穴２３からサムターン胴２０の中央の穴２２に突出するともに、大径部３７は、ピン挿通穴２３内に完全に収容される。この状態で、セット操作材５０の押し込みを解除する。
【００５１】
この押し込み解除により、セット操作材５０は、コイルバネ１７の付勢力により基端側（室内側）に移動する。しかし、セット操作材５０は、その第１係合部５４がツマミ６０の被係合部６４と係合する位置に移動する前に、その第２係合部５５がセットピン３５の小径部３６に形成された凹溝３６ａに当接し、セット操作材５０は、それ以上の基端側への移動が規制される。コイルバネ１７がセット操作材５０を基端側に付勢していることで、セット操作材５０の第２係合部５５とセットピン３５の凹溝３６ａとの係合状態は維持され、不正解錠防止機能のセットは完了する。
このようにして室内側から不正解錠防止機能をセットした後、室外側から従来どおり鍵で施錠すればよい。
【００５２】
この不正解錠防止機能セット状態では、セット操作材５０の第１係合部５４とツマミ６０の被係合部６４との係合は解除されており、セット操作材５０の棒状部５１の基端部は、ツマミ本体６１の基端面から指先で摘むことができない程度に僅かに突出している。つまり、セット操作材５０を回転させることは不可能である。
【００５３】
セット操作材５０の第１係合部５４とツマミ６０の被係合部６４との係合が解除されていることで、ツマミ６０は、サムターン胴２０、セット操作材５０ひいてはサムターン軸１２に対して回転自在とされる。また、セットピン３５の凹溝３６ａにセット操作材５０の第２係合部５５が係合されていることでセットピン３５の移動は規制され、操作輪３０の凹溝３２をセットピン３５の位置に合わせたとしても、セットピン３５は、操作輪３０の凹溝３２に突出することはない。
【００５４】
この不正解錠防止機能セット時において、解錠方向にツマミ６０を回しても、ツマミ６０は、サムターン胴２０に対して相対回転（空転）するだけで解錠することはできない。よって、サムターン回しによる不正解錠が確実に防止される。
なお、帰宅時や就寝時には、図１０の施錠状態において、上記と同様に不正解錠防止機能をセットすればよい。
【００５５】
次に、この不正解錠防止機能の解除方法について説明する。
始めに、図１１に示す不正解錠防止機能セット状態において、操作輪３０とツマミ６０を所定の位置に配置する。つまり、操作輪３０とセット操作材５０の各印が一致するように、サムターン胴２０に対し操作輪３０を相対回転させ、また、サムターン胴２０に対しツマミ６０を相対回転させる。
【００５６】
より具体的には、操作輪３０の凹溝３２をセットピン３５に対応する位置に配置すると共に、ツマミ６０の被係合部６４をセット操作材５０の第１係合部５４に対応する位置に配置する。そのために、本実施例では、操作輪３０とセット操作材５０に付けられた各印３３，５７、及びツマミ６０の先端面長手方向（図３（ｃ）に示されるツマミ本体６１端面の長手方向）が対応するように、操作輪３０をサムターン胴２０に対して相対回転させると共に、ツマミ６０をセット操作材５０に対して相対回転させればよい。
【００５７】
このようにして、操作輪３０とツマミ６０の両方を所定の位置に配置した後、セット操作部材５０の棒状部５１を先端側に押し込む。この押し込みにより、セット操作材５０は、先端側に移動し、セット操作材５０の第２係合部５５とセットピン３５の凹溝３６ａとの係合が解除される。セットピン３５は、係合が解除されることで、コイルバネ３８の付勢力によりサムターン胴２０の径方向外側、本実施例では垂直下方に突出し、操作輪３０の凹溝３２にその先端部３７ａが差し込まれる。
【００５８】
次に、セット操作部材の押し込みを解除する。押し込み解除により、セット操作材５０は、コイルバネ１７の付勢力により基端側に移動し、セット操作材５０の第１係合部５４とツマミ６０の被係合部６４が係合する。これにより、図３又は図１０の状態に戻り、不正解錠防止機能は解除され、従来どおり施解錠することができる。
【００５９】
ところで、不正解錠防止機能がセットされた状態で、例えば針金を室外側から差し込んで不正解錠を行なう場合、ツマミ６０がサムターン軸１２と連結されていないことで、針金でツマミ６０を回したとしても、ツマミ６０は、サムターン胴２０に対して相対回転（空転）するだけで解錠することはできない。よって、不正解錠を防止することができる。
【００６０】
また、不正解錠防止機能がセットされた状態で、扉１００に穴をあけて、その穴から手を入れて不正解錠を行なう場合、上述したように、操作輪３０とツマミ６０の両方を所定の位置に合わす必要がある。
ところが、室外側からでは、操作輪３０とセット操作材５０に付けられた印３３，５７を見ながら操作することができず、操作輪３０及びツマミ６０をどの位置に合わせればよいのか把握できない。また、むやみに操作輪３０及びツマミ６０を回転させて、仮に、操作輪３０とツマミ６０が所定位置に対応して配置されたとしても、セット操作材５０を押し込まない限り不正解錠防止機能を解除されることはない。しかも、セットピン３５の先端部３７ａは完全にサムターン胴２０のピン挿通穴２３に収容されているので、セットピン３５が操作輪３０の凹溝３２に接触する音や感触がなく、位置を合わせることは不可能である。
【００６１】
このような構成により、本実施例のサムターン装置１０は、不正解錠を防止することができる。不正解錠防止機能をセットした状態では、ツマミ６０は単に空転するだけであり、サムターン軸１２を回転させることはできない。また、不正解錠防止機能を解除するには、ツマミ６０と操作輪３０とを所定の位置に合わせる必要がある。従って、室外側から針金等を差し込んで単にツマミ６０を回転させるような不正解錠方法や、扉１００に穴をあけて手を入れて行なう不正解錠方法では解錠させることができない。
【００６２】
なお、本発明のサムターン装置は、上記実施例の構成に限らず、適宜変更可能である。例えば、ツマミのツマミ本体を略矩形板状としたが、円柱状や球状などとしても構わない。このような形状とすることで、針金等の不正解錠手段によってツマミを回転し難くすることができる。
【図面の簡単な説明】
【００６３】
【図１】本発明のサムターン装置を備えた扉錠の縦断面図である。
【図２】図１の扉錠を示す図であり、（ａ）は室内側から見た正面図、（ｂ）は戸先側から見た側面図、（ｃ）は底面図である。
【図３】本発明のサムターン装置が取り付けられた解錠状態の扉錠を示す図であり、（ａ）は横断面図であり、（ｂ）は縦断面図であり、（ｃ）は（ａ）をＡ―Ａ方向から見た図であり、（ｄ）は（ｂ）をＢ―Ｂ方向から見た概略断面図である。
【図４】サムターン軸を示す部品図であり、（ａ）は正面図、（ｂ）は左側面図、（ｃ）は右側面図、（ｄ）は底面図である。
【図５】サムターン胴を示す部品図であり、（ａ）は横断面、（ｂ）は縦断面図、（ｃ）は（ａ）の左側面図、（ｄ）は（ａ）の右側面図である。
【図６】蓋を示す部品図であり、（ａ）は横断面図、（ｂ）は縦断面図、（ｃ）は（ａ）の右側面図である。
【図７】セット操作材を示す部品図であり、（ａ）は正面図、（ｂ）は左側面図、（ｃ）は右側面図、（ｄ）は底面図、（ｅ）は（ｄ）の一部拡大断面図である。
【図８】ツマミを示す部品図であり、（ａ）は正面図、（ｂ）は左側面図、（ｃ）は右側面図、（ｄ）は底面図である。
【図９】キャップを示す部品であり、（ａ）は横断面、（ｂ）は縦断面図、（ｃ）は（ａ）の左側面図である。
【図１０】本発明のサムターン装置が取り付けられた施錠状態の扉錠を示す図であり、（ａ）は横断面図であり、（ｂ）は縦断面図であり、（ｃ）は（ａ）をＣ―Ｃ方向から見た図であり、（ｄ）は（ｂ）をＤ―Ｄ方向から見た概略断面図である。
【図１１】不正解錠防止機能をセットした状態を示す図であり、（ａ）は横断面図、（ｂ）は縦断面図、（ｃ）は（ａ）をＥ―Ｅ方向から見た図、（ｄ）は（ｂ）をＦ―Ｆ方向から見た概略断面図である。
【符号の説明】
【００６４】
１  扉錠
２  錠ケース
３  デッドボルト
４  ハブ
４ｂ  ハブ穴
１０  サムターン装置
１２  サムターン軸
１３  先端側小径部
１４  基端側大径部
１５  フランジ
１６  切欠き
１７  コイルバネ
２０  サムターン胴
２３  ピン挿通穴
３０  操作輪
３２  凹部
３３  印
３５  セットピン
３６  小径部
３６ａ  凹溝（被係合部）
３７  大径部
３７ａ  先端部
４０  蓋
５０  セット操作材
５１  棒状部
５３  脚部
５４  第１係合部
５５  第２係合部
５７  印
６０  ツマミ
６３  取付部
６４  凹溝（被係合部）
６５  貫通穴
７０  キャップ
８０  シリンダー錠
１００  扉
【図１】
2005061122.tif 000003
【図２】
2005061122.tif 000004
【図３】
2005061122.tif 000005
【図４】
2005061122.tif 000006
【図５】
2005061122.tif 000007
【図６】
2005061122.tif 000008
【図７】
2005061122.tif 000009
【図８】
2005061122.tif 000010
【図９】
2005061122.tif 000011
【図１０】
2005061122.tif 000012
【図１１】
2005061122.tif 000013